(57)【要約】【課題】浴室のみに配置された人検知センサの出力を防犯目的にも利用可能な給湯システムを提供する。【解決手段】防犯モードのオン時には、人検知センサ３００によって浴室５００内に人が検知されると、不審者の侵入が検知されて、ユーザに警告が報知される。防犯モードのオフ時には、人検知センサ３００による浴室５００内における人の検知は、浴室に関連する制御に用いられる。防犯モードは、防犯モードを指示するユーザ入力と、給湯器１０の運転スイッチのオンオフとの組み合わせに基づいて、オン又はオフされる。【選択図】図２
2020016381.tif 000002
【特許請求の範囲】
【請求項１】
浴室内の浴槽を含む給湯先に対して温水を供給するための給湯器と、
前記浴室内に設けられた人検知センサと、
前記浴室への侵入者を検知する防犯モードを指示するためのユーザ入力を受け付けるための入力部と、
前記給湯器の作動及び停止を指示する運転スイッチと、
前記ユーザ入力のオンオフと、前記運転スイッチのオンオフとの組み合わせに基づいて前記防犯モードをオン又はオフするモード制御手段と、
前記人検知センサによって人体が検知されたときに、前記防犯モードのオン時には前記侵入者を検知する一方で、前記防犯モードのオフ時には前記浴室に関連する制御において前記浴室内でのユーザ検知を反映する制御手段と、
前記侵入者を検知すると警告をユーザに報知するための異常報知手段とを備える、給湯システム。
【請求項２】
前記モード制御手段は、前記ユーザ入力のオン状態において、前記運転スイッチのオフ期間に前記防犯モードをオンする、請求項１記載の給湯システム。
【請求項３】
前記給湯システムは、無線通信による中継器との通信接続によって、通信網と通信接続可能に構成され、
前記異常報知手段は、前記通信網又は前記中継器と通信接続された通信端末によって、前記警告をユーザに対して報知する、請求項１又は２に記載の給湯システム。
【請求項４】
前記給湯システムは、前記通信端末からのユーザ操作によって前記運転スイッチのオンオフ操作が可能であり、
前記モード制御手段は、前記ユーザ入力のオン状態において、前記通信網に接続された前記通信端末からの前記ユーザ操作による前記運転スイッチのオン期間に前記防犯モードをオンする、請求項３記載の給湯システム。
【請求項５】
前記モード制御手段は、前記防犯モードのオン期間のうちの前記運転スイッチのオン期間において、前記中継器に接続中の前記通信端末が検出されると、前記防犯モードをオフする、請求項４記載の給湯システム。
【請求項６】
前記制御手段は、
防犯モードのオフ時において前記人検知センサが前記人体を検出すると入浴者の入室検知情報を前記ユーザに報知する第１の情報報知手段を含む、請求項１〜５のいずれか１項に記載の給湯システム。
【請求項７】
前記浴室内に配置された浴槽の水位センサをさらに備え、
前記制御手段は、
前記防犯モードのオフ時において前記人検知センサによる前記人体の検知後に、前記水位センサの出力に基づいて前記入浴者の前記浴槽への入浴検知情報を前記ユーザに報知する第２の情報報知手段をさらに含む、請求項６記載の給湯システム。
【発明の詳細な説明】
【技術分野】
【０００１】
本発明は、給湯システムに関し、より特定的には、浴槽への温水供給機能を有する給湯システムに関する。
【背景技術】
【０００２】
浴室内のリモートコントローラ（以下、リモコンとも称する）に人体を検知するセンサを内蔵するシステム構成が公知である。例えば、特開２００６−６５３６７号公報（特許文献１）には、浴室及び、浴室に隣接する脱衣室の各々に人体を検知するためのセンサが配置された、浴室の異常検知装置が開示される。特許文献１によれば、脱衣室のセンサが人体を検知する前に浴室のセンサが人体を検知すると、浴室への侵入者を検知して、警報手段により警報が発せられる。
【先行技術文献】
【特許文献】
【０００３】
【特許文献１】特開２００６−６５３６７号公報
【発明の概要】
【発明が解決しようとする課題】
【０００４】
特許文献１によれば、浴室及び脱衣室のセンサを、入浴者の入室及び退室の検知に利用するとともに、警報出力の対象となる浴室への侵入者を検知することができる。しかしながら、特許文献１に記載された異常検出装置では、浴室及び脱衣室の両方にセンサの配置が必要となるため、対象となるシステム構成が限られる点が問題となる。
【０００５】
本発明はこのような問題点を解決するためになされたものであって、本発明の目的は、浴室のみに配置された人検知センサの出力を防犯目的にも利用可能な給湯システムを提供することである。
【課題を解決するための手段】
【０００６】
本発明のある局面では、給湯システムは、給湯器と、人検知センサと、入力部と、運転スイッチと、モード制御手段と、制御手段と、異常報知手段とを備える。給湯器は、浴室内の浴槽を含む給湯先に対して温水を供給する。人検知センサは、浴室内に設けられる。入力部は、浴室への侵入者を検知する防犯モードを指示するためのユーザ入力を受け付ける。運転スイッチは、給湯器の作動及び停止を指示する。モード制御手段は、ユーザ入力のオンオフと、運転スイッチのオンオフとの組み合わせに基づいて防犯モードをオン又はオフする。制御手段は、人検知センサによって人体が検知されたときに、防犯モードのオン時には侵入者を検知する一方で、防犯モードのオフ時には浴室に関連する制御において浴室内でのユーザ検知を反映する。異常報知手段は、侵入者を検知すると警告をユーザに報知する。
【発明の効果】
【０００７】
本発明によれば、ユーザによる防犯モード入力の有無、及び、運転スイッチのオンオフに基づいてオンオフされる防犯モードの導入により、人検知センサの出力を、浴室に関連する通常の制御と、浴室への侵入者の検知との両方に用いることができる。この結果、浴室のみに配置された人検知センサの出力を防犯目的にも利用可能な給湯システムを実現することができる。
【図面の簡単な説明】
【０００８】
【図１】本発明の実施の形態に係る給湯システムの構成を説明する概略図である。
【図２】図１に示された給湯システムが適用された浴室の概略構成図である。
【図３】図２に示された人検知センサによる検知エリアを示す概念図である。
【図４】本実施の形態に係る給湯システムにおける防犯モードのオンオフ制御を説明するフローチャートである。
【図５】本実施の形態に係る給湯システムにおける人検知センサの出力を用いた制御処理を説明するフローチャートである。
【図６】本実施の形態に係る給湯システムにおける通常制御の第１の例を説明する概念図である。
【図７】本実施の形態に係る給湯システムにおける通常制御の第２の例を説明する概念図である。
【図８】本実施の形態に係る給湯システムにおける通常制御の第３の例を説明する概念図である。
【図９】本実施の形態に係る給湯システムにおける防犯モードのオンオフ制御の変形例を説明するフローチャートである。
【発明を実施するための形態】
【０００９】
以下に、本発明の実施の形態について図面を参照して詳細に説明する。なお、以下では図中の同一又は相当部分には同一符号を付してその説明は原則的に繰返さないものとする。
【００１０】
図１は、本発明の実施の形態に係る給湯システムの構成を説明する概略図である。
図１を参照して、給湯システム５は、給湯器１０と、リモートコントローラ１００，２００とを備える。給湯器１０は、ガス等の燃料燃焼式、又は、ヒートポンプ式で構成される。給湯器１０からの温水は、浴槽、シャワー、カラン等へ供給することができる。給湯器１０には、マイクロコンピュータで構成されたコントローラ１５が内蔵される。
【００１１】
給湯システム５に対するユーザ指令は、リモートコントローラ１００，２００によって入力される。リモートコントローラ１００，２００は、通信線２０及び３０によって、給湯器１０と接続される。通信線２０，３０は、代表的には、２心の通信ケーブルによって構成することができる。
【００１２】
リモートコントローラ１００は、例えば、台所の壁面に配設される。以下では、リモートコントローラ１００を「台所リモコン１００」とも称する。台所リモコン１００は、給湯システム５の運転をオンオフするための運転スイッチ１０２と、操作スイッチ１０３と、表示部１０５とを含む。運転スイッチ１０２及び操作スイッチ１０３は、代表的には、プッシュボタンやタッチボタンによって構成することができる。表示部１０５は、代表的には、液晶パネルによって構成することができる。操作スイッチ１０３の一部又は全部は、タッチパネル上に形成されるソフトスイッチによって構成されてもよい。
【００１３】
リモートコントローラ２００は、浴室の壁面に配設される。以下では、リモートコントローラ２００を「浴室リモコン２００」とも称する。浴室リモコン２００は、運転スイッチ２０２と、操作スイッチ２０３，２０４と、表示部２０５とを有する。運転スイッチ２０２及び操作スイッチ２０３，２０４は、代表的には、プッシュボタンやタッチボタンによって構成することができる。表示部２０５は、例えば、蛍光表示管によって構成することができる。
【００１４】
運転スイッチ１０２，２０２の操作によって、給湯器１０の作動及び停止が指示される。コントローラ１５は、運転スイッチのオン時には、図示しないカラン又はシャワーの開栓、及び、浴槽への給湯経路の開放に応じて、温水を供給する。
【００１５】
更に、コントローラ１５は、台所リモコン１００及び浴室リモコン２００における表示部１０５，２０５の表示内容を制御することによって、ユーザに情報を報知することができる。或いは、運転スイッチ１０２，２０２及び操作スイッチ１０３，２０３，２０４の少なくとも一部に設けられたＬＥＤ（Light  Emitting  Diode）の点灯及び消灯の制御によって、ユーザに情報を報知することも可能である。又は、台所リモコン１００及び浴室リモコン２００に内蔵された図示しないスピーカによって、ユーザに情報を報知することも可能である。
【００１６】
台所リモコン１００及び浴室リモコン２００は、図示しない通信アダプタを内蔵することにより、無線ＬＡＮルータ６００を介して、通信網（代表的には、インターネット）及び通信端末との通信接続が可能となる。例えば、インターネット７００と通信接続が確立された無線ＬＡＮルータ６００を「中継器」として、台所リモコン１００及び浴室リモコン２００は、インターネット７００と接続されたサーバ８００との間での通信接続が可能となる。これにより、サーバ８００経由で給湯器１０の遠隔操作及び遠隔監視が可能となる。
【００１７】
例えば、サーバ８００と通信接続される、通信端末４００（代表的には、スマートフォン）に所定のアプリケーションソフトをダウンロードすることによって、通信端末４００からの給湯器１０の遠隔操作及び遠隔監視が可能となる。尚、通信端末４００については、インターネット７００に対して４Ｇ通信等で接続された通信端末４００ｂと、無線ＬＡＮルータ６００と無線ＬＡＮ接続された通信端末４００ａとの両方から、給湯器１０の遠隔操作及び遠隔監視を実行することができる。
【００１８】
一例として、通信端末４００ａ，４００ｂからは、上記通信接続を用いて、給湯器１０の運転スイッチのオンオフを伴う遠隔操作（例えば、風呂のお湯張り運転オン）が可能である。或いは、反対に、通信端末４００ａ，４００ｂのディスプレイ画面及びスピーカを用いて、コントローラ１５からの出力に基づく情報を、サーバ８００からユーザに対して報知することも可能である。
【００１９】
次に、浴室に関連した構成を詳細に説明する。
図２は、図１に示された給湯システムが適用された浴室の概略構成図である。
【００２０】
図２を参照して、浴室５００には、浴槽５１０及び浴室リモコン２００に加えて、浴室５００内の人の存在を検知するための人検知センサ３００が配置される。浴槽５１０には、給湯器１０からの温水が、配管４０を経由して供給される。人検知センサ３００は、例えば、浴室リモコン２００の筐体（図示せず）に内蔵される。
【００２１】
更に、浴槽５１０には、浴槽水位を検出する水位センサ５２０が備えられる。例えば、水位センサ５２０は、浴槽５１０への給湯経路内に配置された、圧力センサによって構成される。
【００２２】
図３は、人検知センサによる検知エリアを示す概念図である。
図３（ａ）には、図２に示された浴室５００の上面図が示され、図３（ｂ）には、浴室５００内での浴槽５１０の正面図が示される。
【００２３】
浴室リモコン２００に内蔵された人検知センサ３００の検知エリアを規定する視野角について、図３（ａ）に示されるように左右に６０度ずつ程度、図３（ｂ）に示されるように、上側に３０度、かつ、下側に１５度程度確保することによって、人の浴室５００への入室、及び、人の浴槽５１０への入浴を検知することが可能である。従って、人検知センサ３００の出力に基づいて、後述するような、浴室に関連する制御を実行することが可能である。
【００２４】
更に、図２及び図３から理解される通り、浴室５００に設けられた窓５５０から人（不審者）が浴室５００内へ侵入する経路も、人検知センサ３００の検知エリアに含まれる。即ち、かかる侵入者についても、人検知センサ３００の出力に基づいて検知することが可能である。
【００２５】
このように、人検知センサ３００の出力は、浴室に関連する通常の制御と、浴室５００への侵入者の検知との両方に用いることができる。本実施の形態に従う給湯システムでは、浴室５００内のみに配置された人検知センサ３００の出力を有効に活用するために、以下に説明する防犯モードを新たに設ける。
【００２６】
図４は、本実施の形態に係る給湯システムにおける防犯モードのオンオフ制御を説明するフローチャートである。図４に示される制御処理は、コントローラ１５によって繰り返し実行される。
【００２７】
図４を参照して、コントローラ１５は、ステップ（以下、単に「Ｓ」とも表記する）１１０により、防犯モードを指示するユーザ入力の有無を判定する。当該ユーザ入力は、台所リモコン１００及び浴室リモコン２００の各々において、操作スイッチ１０３，２０３，２０４に対する予め定められた手順の操作によってオン又はオフすることが可能である。或いは、所定のアプリケーションを起動して通信端末４００からの遠隔操作によって、防犯モードを指示するユーザ入力をオンオフすることも可能である。即ち、台所リモコン１００及び浴室リモコン２００の操作スイッチ１０３，２０３，２０４、並びに、通信端末４００は「入力部」の一実施例に対応する。
【００２８】
コントローラ１５は、防犯モードを指示するユーザ入力が無いとき（以下、単に「防犯モード入力のオフ」とも称する）には、Ｓ１１０をＮＯ判定として、Ｓ１４０へ処理を進める。Ｓ１４０では、防犯モードはオフされる。
【００２９】
一方で、コントローラ１５は、防犯モードを指示するユーザ入力が有るとき（以下、単に「防犯モード入力のオン」とも称する）には、Ｓ１１０をＹＥＳ判定として、Ｓ１２０へ処理を進める。Ｓ１２０では、現時点における給湯器１０の運転スイッチのオンオフが確認される。
【００３０】
コントローラ１５は、運転スイッチのオフ時（Ｓ１２０のＹＥＳ判定時）には、Ｓ１３０に処理を進めて、防犯モードをオンする。これに対して、運転スイッチのオン時には（Ｓ１２０のＮＯ判定時）、Ｓ１４０により、防犯モードはオフされる。
【００３１】
これにより、各時点において、防犯モード入力のオンオフ及び運転スイッチのオンオフの組み合わせに基づいて防犯モードはオン又はオフされる。具体的には、防犯モードは、防犯モード入力のオン状態において、給湯器１０の運転スイッチのオフ期間にオンされる。特に、運転スイッチのオン時には、防犯モード入力がオンであっても、防犯モードがオフされることが理解される。即ち、コントローラ１５による図４に従った制御処理によって、防犯モードのオンオフを制御する「モード制御手段」の機能が実現される。
【００３２】
図５は、本実施の形態に係る給湯システムにおける人検知センサの出力を用いた制御処理を説明するフローチャートである。図５に示される制御処理は、図４に示された制御処理とは別個にコントローラ１５によって繰り返し実行される。
【００３３】
図５を参照して、コントローラ１５は、Ｓ２１０により、人検知センサ３００の出力に基づき、浴室５００内における人の検知の有無を判定する。コントローラ１５は、浴室５００内に人が検知されている場合には（Ｓ２１０のＹＥＳ判定時）には、Ｓ２２０により、図４の制御処理によって決定される現時点での防犯モードのオンオフを確認する。
【００３４】
コントローラ１５は、防犯モードのオン時に浴室５００内に人が検知されると（Ｓ２２０のＹＥＳ判定時）、Ｓ２３０により、ユーザに警告を報知する。例えば、当該警告は、浴室５００への不審者の侵入が推定されることを報知する視覚的及び聴覚的なメッセージ出力によって報知することができる。当該メッセージの出力先は、コントローラ１５と通信線２０，３０によって通信接続された台所リモコン１００及び浴室リモコン２００に加えて、無線ＬＡＮルータ６００を経由してコントローラ１５と通信接続された通信端末４００ａ，４００ｂを含むことが可能である。これにより、台所リモコン１００及び浴室リモコン２００から離れた位置のユーザ、特に、外出中のユーザに対しても、防犯に関する警告を報知することができる。即ち、コントローラ１５がＳ２３０の処理を実行することによって、「異常報知手段」の機能が実現される。
【００３５】
これに対して、コントローラ１５は、防犯モードのオフ時に浴室５００内に人が検知されると（Ｓ２２０のＮＯ判定時）、Ｓ２４０により、当該検知を、浴室に関連する通常の制御（以下、単に「通常制御」とも称する）に用いる。
【００３６】
例えば、Ｓ２４０では、浴室５００への入室、又は、入室後の浴槽５１０への入浴が検出されると、台所リモコン１００の操作スイッチ１０３のＬＥＤの点灯、及び／又は、音声メッセージの出力によって、入室及び入浴状況をモニタする「見まもり制御」を実現することができる。この場合には、入室検知時及び入力検知時の間では、異なる部位の点灯又は異なる音声メッセージを出力することで、両者を区別してユーザに報知することも可能である。
【００３７】
或いは、通信端末４００のディスプレイ画面を用いて同様の見まもり制御を実現することも可能である。
【００３８】
図６には、本実施の形態に係る給湯システムにおける通常制御の第１の例である見まもり制御での通信端末４００における表示画面例を説明する概念図である。
【００３９】
図６（ａ）には、給湯器１０の運転スイッチがオンされ、かつ、浴槽５１０内の湯温が自動制御される風呂自動モードがオンされている場合において、浴室５００への入室が検知されていないときの通信端末４００の画面例が示される。
【００４０】
図６（ａ）の画面表示状態から、人検知センサ３００によって浴室５００内に人の存在が検知されると、入室が検知されて、図６（ｂ）の画面が通信端末４００に表示される。図６（ｂ）の画面表示により「第１の情報報知手段」の機能が実現される。
【００４１】
更に、図６（ｂ）の画面表示状態から、人の存在が検知されるとともに、水位センサ５２０（図２）によって浴槽５１０内の水位上昇が検知されると、入浴が検知されて、図６（ｃ）の画面が通信端末４００に表示される。図６（ｂ）から図６（ｃ）への画面切替の際には、浴室リモコン１００等へのユーザ指令による、浴槽５１０への湯の補給運転（いわゆる、足し湯運転）の実行中ではないことを条件に加えることが好ましい。図６（ｃ）の画面表示により「第２の情報報知手段」の機能が実現される。
【００４２】
更に、図６（ｃ）の画面表示状態、即ち、入浴が検知された状態が、予め定められた時間Ｘ（分）を超えて連続する場合には、通信端末４００を用いて、ユーザに対して状況確認を促すアラームを報知することが可能である。
【００４３】
又、図６（ｃ）の画面表示状態から、水位センサ５２０によって浴槽５１０内の水位低下が検知されると、人検知センサ３００によって浴室５００内に人の存在が検知されている間、図６（ｂ）の画面が表示される。更に、図６（ｂ）の画面表示状態から、人検知センサ３００によって人の存在が検知されなくなると、再び、図６（ａ）の画面が通信端末４００に表示される。
【００４４】
図６（ａ）〜図６（ｃ）の画面表示切替、及び、Ｘ（分）経過に伴うアラーム報知は、コントローラ１５によって制御される。従って、コントローラ１５からの制御指示が、サーバ８００を経由して、アプリケーションソフトを起動中の通信端末４００へ伝送されることによって、上述の画面表示切替及びアラーム報知が通信端末４００で実行される。
【００４５】
このように、防犯モードのオフ時には、人検知センサ３００の出力を用いて、浴室５００での入室及び入浴の検出結果をユーザに報知する見まもり制御を、通常制御の一例として実行することができる。尚、図６の例は、通信端末４００としてはスマートフォンを主に想定しているが、スマートフォン以外の通信端末４００にも、入室検知及び入浴検知に応じて同様の画面表示を行うことができる。更に、図１に示した、給湯器１０（コントローラ１５）及びサーバ８００間の通信経路に接続されていれば、通信端末４００に限らず、任意の端末において、同様の見まもり制御のための画面表示を行うことができる。
【００４６】
図７には、本実施の形態に係る給湯システムにおける通常制御の第２の例を説明する図表が示される。
【００４７】
図７を参照して、浴槽５１０内の湯温を、いわゆる追焚運転によって自動制御可能な給湯システム５では、人検知センサ３００の出力を用いて、ヒートショックを和らげるための湯温制御である、「ゆるやか浴制御」を実行することが可能である。
【００４８】
図７を参照して、浴槽５１０へのお湯張り運転時における、給湯器１０からの給湯温度は、風呂目標温度Ｔｂに従って制御される。更に、お湯張り終了後に、浴槽５１０内の湯温が、風呂目標温度ＴｂからＹ（℃）を超えて低下すると、追焚運転の開始によって、湯温が自動制御される。
【００４９】
ユーザによって「ゆるやか浴」がオフされている場合には、風呂目標温度Ｔｂは、台所リモコン１００又は浴室リモコン２００に対してユーザが入力した風呂設定温度Ｔｉｎと同じ値に設定される。
【００５０】
これに対して、「ゆるやか浴」のオン時には、人検知センサ３００の出力と、水位センサ５２０の出力とを用いた入浴検知のオンオフに応じて、風呂目標温度Ｔｂが切替えられる。具体的には、入浴検知オフ時には、風呂目標温度Ｔｉｎは、風呂設定温度ＴｉｎよりもΔＴ（℃）低い値に設定されており、入浴検知後に、風呂目標温度Ｔｂが、ユーザによる風呂設定温度Ｔｉｎまで上昇される。
【００５１】
この結果、「ゆるやか浴」のオン時には、ユーザの入浴開始時点では、湯温が風呂設定温度Ｔｉｎよりも低いのでヒートショックを和らげることが可能であり、かつ、入浴検知後には、風呂目標温度Ｔｂの上昇に伴う追焚運転によって、風呂設定温度Ｔｉｎまで湯温を上昇することができる。
【００５２】
このように、防犯モードのオフ時には、人検知センサ３００の出力を用いて、上述の「ゆるやか浴」を実現するための湯温制御を、通常制御の一例として実行することができる。
【００５３】
図８には、本実施の形態に係る給湯システムにおける通常制御の第３の例を説明する図表が示される。
【００５４】
図８を参照して、給湯器１０内に出湯量を制限するための流量調整弁（図示せず）を配置すると、コントローラ１５による当該流量調整弁の開度制御により、給湯システム５において、給湯器１０からの給湯流量の上限を設定する「湯セーブモード」をユーザ入力に応じて適用する制御を実行することが可能である。
【００５５】
図８を参照して、ユーザによって「湯セーブモード」がオフされている場合には、給湯上限流量の定量値は特に設定されない。一方で、「湯セーブモード」のオン時には、人検知センサ３００による人検知の有無（オン／オフ）に応じて、給湯流量上限が切替えられる。例えば、人検知のオフ時には、給湯流量上限がＱｍａｘに設定されて、流量センサ（図示せず）による流量検出値がＱｍａｘを超えないように、上記流量調整弁の開度が必要に応じて制御される。
【００５６】
これに対して、人検知センサ３００によって人が検知されると（人検知オン）、給湯流量上限がＱｍａｘ＋Ｑαに上昇される。これにより、湯セーブモードによる全体的な湯量の節約とともに、ユーザが浴室５００でシャワーを使用する際の快適性の低下を抑制することが可能となる。
【００５７】
このように、防犯モードのオフ時には、人検知センサ３００の出力を用いて、上述の「湯セーブモード」の円滑な運用を実現するための流量制限制御を、通常制御の一例として実行することができる。即ち、コントローラ１５が、人検知センサ３００の出力を用いて図６〜図８で説明した制御を実行することによって「制御手段」の機能が実現される。
【００５８】
以上説明したように、本実施の形態に係る給湯システムによれば、ユーザによる防犯モード入力の有無、及び、運転スイッチのオンオフに基づいてオンオフされる防犯モードの導入により、人検知センサ３００の出力を、浴室に関連する通常の制御と、浴室５００への侵入者（不審者）の検知の両方に用いることができる。即ち、浴室５００のみに配置された人検知センサ３００の出力を、通常制御に加えて、防犯目的にも利用することが可能になる。この際に、運転スイッチのオンオフを組み合わせることで、ユーザによる防犯モードの頻繁なオンオフを不要とすることができる。特に、防犯モード入力がオンであっても、運転スイッチのオン時には防犯モードがオフされるため、入浴の都度、ユーザが防犯モード入力をオフしなくても、入浴時における人検知センサ３００の出力によって侵入者が誤報知されることを防止できる。
【００５９】
ここで、図１で説明したように、本実施の形態に係る給湯システム５では、留守時にも、宅外から通信端末４００ｂによって運転スイッチをオンすることが可能である。従って、運転スイッチのオン期間の一部については、防犯モードをオンすることが好ましい場面も想定される。
【００６０】
図９には、本実施の形態に係る給湯システムにおける防犯モードのオンオフ制御の変形例を説明するフローチャートが示される。
【００６１】
図９を図４と比較して、防犯モードのオンオフ制御の変形例では、コントローラ１５は、図４に示したＳ１１０，Ｓ１２０，Ｓ１３０，Ｓ１４０に加えて、Ｓ１２５，Ｓ１２７の処理を更に実行する。
【００６２】
コントローラ１５は、運転スイッチのオン期間（Ｓ１２０のＮＯ判定時）には、Ｓ２１５により、当該運転スイッチのオン期間が、宅外からのオン操作によって開始されたものであるか否かを判定する。
【００６３】
運転スイッチは、上述のように、台所リモコン１００及び浴室リモコン２００の運転スイッチ１０２，２０２の操作、並びに、無線ＬＡＮルータ６００と通信接続された通信端末４００ａ、及び、インターネット７００と接続された通信端末４００ｂからの遠隔操作によってオンオフすることが可能である。コントローラ１５は、運転スイッチ１０２，２０２の操作による運転スイッチオンであることを、台所リモコン１００及び浴室リモコン２００からの受信信号によって判定できる。
【００６４】
一方で、遠隔操作は、所定のアプリケーションソフトを起動した通信端末４００ａ又は４００ｂがサーバ８００に通信接続することで可能となる。従って、当該アプリケーションソフトを起動して通信接続する際に、アクセスポイントが、初期設定時に認識された無線ＬＡＮルータ６００、及び、インターネット７００（一般のインターネット回線）のいずれであるかを判別することによって、通信端末４００ｂ（宅外）による運転スイッチオン、及び、通信端末４００ａ（宅内）による運転スイッチオンのいずれであるかの情報を、コントローラ１５へ入力することが可能である。
【００６５】
従って、コントローラ１５は、通信端末４００ｂからの遠隔操作による運転スイッチオンである場合には、宅外からの運転スイッチオンであると判定して、Ｓ１２５をＹＥＳ判定とする。一方で、コントローラ１５は、通信端末４００ａからの遠隔操作、又は、台所リモコン１００及び浴室リモコン２００の運転スイッチ１０２，２０２の操作による運転スイッチオンである場合には、宅内からの運転スイッチオンであると判定して、Ｓ１２５をＮＯ判定とする。
【００６６】
コントローラ１５は、宅内からの運転スイッチオンによる運転スイッチオン期間では（Ｓ１２５のＮＯ判定時）、Ｓ１４０に処理を進めて防犯モードをオフする。一方で、コントローラ１５は、宅外からの運転スイッチオンによる運転スイッチオン期間では（Ｓ１２５のＹＥＳ判定時）、Ｓ１３０に処理を進めることで、防犯モードをオンすることができる。これにより、ユーザが防犯モード入力をオンしている場合に、留守中に宅外からの遠隔操作によって運転スイッチがオンされたときには、防犯モードをオンすることができる。これにより、留守時の防犯を図ることができる。
【００６７】
コントローラ１５は、Ｓ１２５のＹＥＳ判定時には、Ｓ１２７を更に実行することができる。Ｓ１２７では、宅外からの遠隔操作によって運転スイッチがオンされた場合に、現在、宅内に通信端末４００ａの接続が無いか否か、具体的には、無線ＬＡＮルータ６００と接続された通信端末４００ａが存在するか否かが確認される。宅内に通信接続された通信端末４００ａが存在する場合には（Ｓ１２７のＮＯ判定時）、ユーザが帰宅したことが推定されるので、Ｓ１４０に処理が進められて防犯モードがオフされる。即ち、宅外からの遠隔操作による運転スイッチのオン後、宅内に通信接続された通信端末４００ａが存在しない間（Ｓ１２７のＹＥＳ判定時）は、Ｓ１３０により、防犯モードがオンされる。
【００６８】
図９に従って防犯モードのオンオフを制御することにより、宅外からの遠隔操作による運転スイッチのオンに対応させて防犯機能を高めることが可能となる。
【００６９】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００７０】
５  給湯システム、１０  給湯器、１５  コントローラ、２０，３０  通信線、４０  配管、１００  リモートコントローラ（台所リモコン）、１０２，２０２  運転スイッチ、１０３，２０３，２０４  操作スイッチ、１０５，２０５  表示部、２００  リモートコントローラ（浴室リモコン）、３００  人検知センサ、４００  通信端末、４００ａ  通信端末（宅内）、４００ｂ  通信端末（宅外）、５００  浴室、５１０  浴槽、５２０  水位センサ、５５０  窓、６００  ルータ、７００  インターネット、８００  サーバ。
【図１】
2020016381.tif 000003
【図２】
2020016381.tif 000004
【図３】
2020016381.tif 000005
【図４】
2020016381.tif 000006
【図５】
2020016381.tif 000007
【図６】
2020016381.tif 000008
【図７】
2020016381.tif 000009
【図８】
2020016381.tif 000010
【図９】
2020016381.tif 000011